(57)【要約】【課題】液体ボディソープ、シャンプー、リンス、コンディショナー、その他の液体化粧品を入れ、必要量をポンプにより注出できる液体分配容器を３個以上を分離困難に連結したまま回転トレーに収容でき、各液体分配容器の転倒防止、配備場所の省スペース化および使い勝手の向上が図れる液体分配容器の収容装置を提供すること。【解決手段】上端部にフック挿嵌穴を有し下端に円形台座１２ｂを有するセンターポール１２と、センターポール１２ならびに三個以上の液体分配容器の口頸部をそれぞれ遊嵌する透孔１４ａを穿設したネックプレート１４と、前記センターポール１２の円形台座１２ｂ部分を収容してこのセンターポール１２を垂直に支持する基台１６と、基台１８の上面に冠着され前記液体分配容器のすべてを収容する回転トレー１８を具備しており、三個以上の液体分配容器を収容したまま自在に回転させ得るように構成されている。【選択図】  図２
2004345645.tif 000002
【特許請求の範囲】
【請求項１】
三個以上を液体分配容器を収容したまま自在に回転させ得る当該液体分配容器の収容装置であって、
上端部にフック挿嵌穴を有し下端に円形台座を有するセンターポールと、センターポールならびに各液体分配容器の口頸部をそれぞれ遊嵌する透孔を穿設したネックプレートと、前記センターポールの円形台座部分を収容してこのセンターポールを垂直に支持する基台と、基台の上面に冠着され前記液体分配容器のすべてを収容する回転トレーと具備していることを特徴とする、液体分配容器の収容装置。
【発明の詳細な説明】
【０００１】
【発明の属する技術分野】
本発明は、液体分配容器の収容装置に関し、特には、液体ボディソープ、シャンプー、リンス、コンディショナー、その他の液体化粧品を入れ、必要量をポンプにより注出できる液体分配容器の３個以上を回転トレーに収容できる収容装置に関するものである。
【０００２】
【従来の技術】
従来、液体分配容器は、液体ボディソープ、シャンプー、リンス、コンディショナー等を使用に応じて一定量ずつ注出できるポンプ付きで、容器本体に突設した口頸部に、ポンプを備えた蓋を螺着したものが一般的であり、蓋の脱着が簡単にできるものであった。
【０００３】
これら液体分配容器を２個セットにして浴室或いは洗面所に配備する場合、ラック又はトレイに載せたり、液体分配容器をトレイに固定して容易にトレイから取外しができないようにしたものが汎用されており、また、液体分配容器の蓋を容易には脱着できない連結具を兼ねた脱着防止装置にて２つ連結した液体分配容器も提案されている（特許文献１）
【０００４】
【特許文献１】
特開平１０−７７０６４号公報、（図１）
【０００５】
【発明が解決しようとする課題】
従来の技術で述べた液体分配容器は、ポンプを備えた蓋を容器本体の口頸部から自由に脱着できるものであるから、いたずら等により液体分配容器内に異物を混入される恐れがあった。
【０００６】
さらに、ラック又はトレイに液体分配容器を２個セットにして載置しただけのものは、液体ボディソープやシャンプーを使用した後、液体分配容器が他の場所に放置されたり、倒れたままになったりするという問題があり、一方液体分配容器をトレイに固定したものは、二つの液体分配容器の配置角度を変えることができず、常に二つの該容器を一列に並べたものであるから、狭い浴室、洗面所では配備する上に制約が多く、特に壁面の角部に沿って配置することができないという問題点があり、三以上の液体分配容器を並べたものではかかる問題が顕著である。
【０００７】
本発明は、上記の問題点に鑑みなされたもので、その目的とするところは、液体ボディソープ、シャンプー、リンス、コンディショナー、その他の液体化粧品を入れ、必要量をポンプにより注出できる液体分配容器を３個以上を分離困難に連結したまま回転トレーに収容でき、各液体分配容器の転倒防止、配備場所の省スペース化および使い勝手の向上が図れる、液体分配容器の収容装置の提供にある。
【０００８】
【課題を解決するための手段】
上記目的を達成するために採用した本発明は、三個以上を液体分配容器を収容したまま自在に回転させ得る当該液体分配容器の収容装置であって、
上端部にフック挿嵌穴を有し下端に円形台座を有するセンターポールと、
センターポールならびに各液体分配容器の口頸部をそれぞれ遊嵌する透孔を穿設したネックプレートと、
前記センターポールの円形台座部分を収容してこのセンターポールを垂直に支持する基台と、
基台の上面に冠着され前記液体分配容器のすべてを収容する回転トレーと、
を具備しているところに特徴がある。
【０００９】
本発明に係る液体分配容器の収容装置によると、容器本体に突設した口頸部に、透孔を穿設したネックプレートを遊嵌して液体分配容器を三個以上保持し、水平方向に回転する回転トレー上に保持した状態で載置するため、狭い浴室、洗面所のように配備に制約が多くても、特に壁面の角部に沿って配置しても、回転トレーを回転させることで所望する液体分配容器を前面側に自在移動できる。
【００１０】
また、さらにセンターポールの上端部に形設されたフック挿嵌穴にフックを挿嵌して固着すると、フックを取り外さない限り、ネックプレートは上方に脱出することがなく、また、各液体分配容器を取り外そうとしても簡単には取り外しできない。そして、フックを手でもって回転トレーごと持ち上げることができ、回転トレーとともに各液体分配容器を所望配置場所に容易に移動できる。
【００１１】
【発明の実施の形態】
以下、本発明の液体分配容器の収容装置の実施の態様について、図面を参照して説明するが、これはその代表的なものとして例示したに過ぎず、以下の実施例により本発明が限定されるものではない。
【００１２】
図１は、本発明の実施例となる液体分配容器の収容装置１０の全体斜視図であり、図２は同収容装置１０を底面側から斜視した分解斜視図である。
【００１３】
図において、この収容装置１０は、上端部にフック５を挿嵌して固着するためのフック挿嵌穴１２ａを有し下端に円形台座１２ｂを有するセンターポール１２と、このセンターポール１２と三個以上の容器本体２の口頸部２ａをそれぞれ遊嵌する透孔１４ａを穿設したネックプレート１４と、前記センターポール１４における円形台座１２ｂを、裏面側に備えた円形台座受け部１６ａに遊嵌して当該センターポール１２を垂直方向に立設、保持する基台１６と、該基台１６全体を覆い前記センターポール１２を中心軸として回転可能に組み付けされた回転トレー１８とから構成されており、洗面所や浴場などに配備されるものである。
【００１４】
本発明における液体分配容器１は、液体ボディソープ、シャンプー、リンス、コンディショナー或いは液体化粧品を所定量づつ注出できるものであり、容器本体２に突設された環状の口頸部２ａの外周には螺条部が形成され、手動式のポンプ３を中央に貫挿して取付けた蓋３ａが螺着できるようになっている。
【００１５】
ネックプレート２０は、容器本体２の口頸部２ａに挿通する透孔１４ａを，据え置き収容される液体分配容器１の数量に相当する数だけ穿設した板状であり、各容器本体の２の口頸部２ａにそれぞれ遊嵌して、これらを簡単には取り外できないように保持するものである。
【００１６】
センターポール１２は、基台１６の裏面側に設けた円形台座受け部１６ａに遊嵌させる円形台座１２ｂから上方に向けて立設、保持されており、その上端部にはフック５を挿嵌して固着することでネックプレート１４の脱落を防止するフック挿嵌穴１２ａが設けてあり、このセンターポール１２を中心軸として、前記回転トレー１８を自在回転できるように構成されている。なお、センターポール１２の上端部に固着さしめたフック５を手で持ち上げると、収容装置１０ごと持ち上げでき、そのまま自在に移動できるものである。
【００１７】
なお、回転トレー１８と基台１６の各構成の相互の関係は、センターポール１２を中心軸として液体分配容器１を常置した回転トレー１８を自在回転できるように構成されていれば如何なる構成でも良いものとする。
【００１８】
つぎに、本発明の液体分配容器の収容装置１０の組み付け方法を、図３乃至図５に基づいて説明する。
【００１９】
先ず、センターポール１２の上方側から、基台１６、回転トレー１８、ネックプレート１４をこの順番で組み付け、センターポール１２のフック挿嵌穴１２ａにフック５を挿嵌して固着することでネックプレート１２の脱落を防止する（図３参照）。ついで、基台１６の裏面側に設けた円形台座受け部１６ａにセンターポール１２の円形台座１２ｂを遊嵌させることで回転トレー１８を自在回転可能にするとともに、センターポール１２を上方に向けて立設、保持させる（図４参照）。
【００２０】
つぎに、ネックプレート１４の一部分を手で持ち上げて、ネックプレート１４と回転トレー１８の間の間隔を広げ、ネックプレート１４の透孔１４ａに、液体分配容器１を構成する容器本体２の口頸部２ａを挿嵌するとともに、液体分配容器１を回転トレー１８上に据え置きする。このようにして、液体分配容器１の所定数量（三個）をそれぞれ転トレー１８の上面に据え置きすると、本発明の収容装置１０に、液体分配容器１を組み付けできる。
【００２１】
【発明の効果】
本発明の液体分配容器の収容装置によると、構造が極めて簡単であるから製品を安価に提供できる。
【００２２】
また、ネックプレートによって液状分配容器を簡単には取り外すことができないため、液体分配容器内に異物を混入するといういたずらを防止できる。また、三つ以上の液体分配容器をまとめしかも回転自在に収容できるので、浴場、洗面所などに配備した場合に、配備場所の制限を受け難くかつ配備場所の省スペース化も図れ、さらに、バラバラにして放置されたり、倒れたままに放置されることもなく、常時綺麗に整頓しておくことができるなど、実効性に優れた効果が得られる。
【図面の簡単な説明】
【図１】図１は、本発明の実施例となる収容装置の全体斜視図である。
【図２】図２は、図１の収容装置を底面側から斜視した分解斜視図である。
【図３】図３は、図１の収容装置を組み立てする様子を概略的に示す斜視図である。
【図４】図４は、図１の収容装置を組み立てする他の様子を概略的に示す斜視図である。
【図５】図５は、図１の収容装置を組み立てする他の様子を概略的に示す斜視図である。
【符号の説明】
１    液体分配容器
２    容器本体
２ａ  口頸部
３    手動式のポンプ
３ａ  蓋
５    フック
１０    液体分配容器の収容装置
１２        センターポール
１２ａ  フック挿嵌穴
１２ｂ    円形台座
１４    ネックプレート
１４ａ  透孔
１６    基台
１６ａ  円形台座受け部
１８    回転トレー
【図１】
2004345645.tif 000003
【図２】
2004345645.tif 000004
【図３】
2004345645.tif 000005
【図４】
2004345645.tif 000006
【図５】
2004345645.tif 000007